(57)【特許請求の範囲】
【請求項１】
高周波信号を処理する信号処理回路が内蔵されたケース本体の片側に第１のコネクタが設けられ、他側には第２および第３のコネクタが設けられた高周波信号処理装置において、前記信号処理回路には、第１のコネクタと第２のコネクタとに夫々接続された差し込み端子を有したソケットと、第２のコネクタと第３のコネクタとに夫々接続された差し込み端子を有したソケットとを設け、それらのソケットのうちいずれか一方に、差し込み端子間を低周波信号通過回路で結んだプラグを着脱可能とした高周波信号処理装置。
【請求項２】
前記ソケットの差し込み端子が離間して配置されている請求項１に記載の高周波信号処理装置。
【請求項３】
前記低周波信号通過回路は、チョークコイルを直列に接続したものである請求項１または２に記載の高周波信号処理装置。
【発明の詳細な説明】
【０００１】
【産業上の利用分野】
本発明は、例えばＣＡＴＶの増幅器、分配器、分岐器やその他の高周波信号伝送経路で、入力端子と出力端子間における低周波信号（電話の信号）、或は電流の通過を許容と阻止とに選択可能とした高周波信号処理装置に関する。
【０００２】
【従来の技術】
高周波信号処理装置では、電流通過タイプとそうでないタイプとがあり、それら両タイプとして使い分けできるように、スイッチ操作でいずれかを選択可能としたものもある。
又、信号処理回路の接続を変更して入出力端子の位置を変更可能とした機種では、入力端子と出力端子間の電流通過ルートを変更するために、各端子間に、低周波信号通過回路を接続、非接続状態のいずれかをスイッチで選択できるよう構成する必要がある。
その一例としては、図９に例示する如く、コネクタ２，３（３，４）相互間を低周波信号通過回路１９とスイッチ２６とを直列に接続した電流通過回路１６を設け、スイッチ２６を操作することにより、コネクタ２，３（３，４）相互間に、低周波信号通過機能を付与可能とするものを挙げることができる。
【０００３】
【発明が解決しようとする課題】
この場合、高周波信号処理装置内には、予め各入出力端子に低周波信号を通過させるための低周波信号通過回路が総て内蔵されており、その低周波信号通過回路との接続操作を行なうスイッチをも備えているため、通電量が大きくなるとそれに伴ってスイッチも大容量化しなくてはならず、不必要な回路までもが付属されることになってコストアップを招き、スイッチの動作状態が確認しずらい。
又、スイッチが開状態では、スイッチの接点間でコンデンサが構成され、そのコンデンサと低周波通過信号回路のコイルとで共振回路を形成するので、図１０に示す如く高周波信号出力における周波数帯域内にトラップＴが発生してしまう。
【０００４】
【課題を解決するための手段】
本発明は、スイッチをなくし、プラグイン方式を採用することによって、前記欠点を悉く解消した高周波信号処理装置であって、その構成は、高周波信号を処理する信号処理回路が内蔵されたケース本体の片側に第１のコネクタが設けられ、他側には第２および第３のコネクタが設けられた高周波信号処理装置において、前記信号処理回路には、第１のコネクタと第２のコネクタとに夫々接続された差し込み端子を有したソケットと、第２のコネクタと第３のコネクタとに夫々接続された差し込み端子を有したソケットとを設け、それらのソケットのうちいずれか一方に、差し込み端子間を低周波信号通過回路で結んだプラグを着脱可能としたことにある。
そして前記ソケットの差し込み端子を離間して配置し、前記低周波信号通過回路を、チョークコイルが直列に接続されたものとすることができる。
【０００５】
【作用】
電流通過の許容が要求される入出力端子間に接続されているソケットにプラグを挿し込むことにより、その端子間の電流通過機能を持たせることができ、外せば電流通過機能が失われる。
それによってエアリアルタイプとペデスタルタイプとの使い分けが可能となる。
又、ソケットの挿し込み端子を離間して配置することにより、ソケット内に低周波信号通過回使い分けが可能となる。
更に、ソケットの差し込み端子を離間して配置することにより、路を効率良く収容でき、プラグの端子が確認しやすい。
【０００６】、
【実施例】
本発明に係る高周波信号処理装置を、分岐器に実施した一例を図面に基づいて説明する。
１は一面が開放されたケース本体であり、そのケース本体１には、片側にケーブル接続用の第１のコネクタ２が、又他側には、ケーブル接続用の第２のコネクタ３と第３のコネクタ４とが設けられ、内部には、マザーボード５と分岐ユニット６とを含む信号処理回路が内蔵され、開口面は、内側にタッププレート７を一体に組み付けた蓋体８で閉塞される。
前記マザーボード５はケース本体１に固着され、中央部に、嵌め込みジャック式の４つの中継端子を９ａ，９ｂ，９ｃ，９ｄを備えた分岐ユニット装着部９を有し、その分岐ユニット装着部９を挟んだ両側部には、互いに独立した一対の挿し込み端子１０ａ，１０ｂ（１１ａ，１１ｂ）を互いに離間して配置したソケット１０，１１が夫々設けられている。
【０００７】
前記分岐ユニット装着部９の中継端子９ａ，９ｂ，９ｃ，９ｄは、図２に示す如く、夫々コンデンサ１２ａ，１２ａ・・を介在させた中継回路１２により第１、第２及び第３の各コネクタ２，３，４に対して電気的接続が可能となっている。
そして前記中継回路１２には、手動切り換え式のスイッチ１２ｂと、分岐ユニット６の脱着操作に連動するプッシュ式のスイッチ１２ｃ，１２ｄとが設けられていて、分岐ユニット６が分岐ユニット装着部９に装着されていないと、スイッチ１２ｃ，１２ｄは共にＡポジションとなり、スイッチ１２ｂの切り換え操作によって、第１のコネクタ２と第２のコネクタ３とが接続された回路（図３のａ）と、第２のコネクタ３と第３のコネクタ４とが接続された回路（図３のａ）とを選択できる。
又、分岐ユニット６を分岐ユニット装着部９に装着すると、スイッチ１２ｃ，１２ｄが共にＢポジションに切り変わり、前記スイッチ１２ｂの切り換えで、第１のコネクタ２と中継端子９ａ、第２のコネクタ３と中継端子９ｄ、第３のコネクタ４と中継端子９ｃとが夫々接続された状態（図４のａ）と、第１のコネクタ３と中継端子９ａ、第２のコネクタ３と中継端子９ｂ、第３のコネクタ４と中継端子９ｃとが夫々接続された状態（図４のｂ）とを選択できる。
【０００８】
前記中継端子９ａ，９ｂ，９ｃ，９ｄは、分岐ユニット装着部９の中央を中心とした円軌跡上に、９０度の位相差で配置され、中心い対して点対称となる中継端子９ａ，９ｄ、又は、中継端子９ｂ，９ｃの組み合わせを一対とした接続部を構成している。
図５に示す分岐回路６ａが内蔵された分岐ユニット６の片面には、前記中継端子の組み合わせによる一対の中継端子９ａ，９ｄ（９ｂ，９ｃ）に対応した嵌め込みプラグ式の接続端子１３，１４が設けられ、他面には、嵌め込みジャック式の分岐端子１５が設けられ、それら接続端子１３，１４と分岐端子１５とは分岐回路６ａと電気的に接続されており、接続端子１３，１４と分岐端子１５を分岐ユニット装着部９の中継端子９ａ，９ｄ（９ｂ，９ｃ）に挿し込み接続することによって装着される。
【０００９】
一方ソケット１０，１１の各挿し込み端子１０ａ，１０ｂは、夫々第１、第２のコネクタ２，３に、ソケット１１の各挿し込み端子１１ａ，１１ｂは、夫々第２、第３のコネクタ３，４に対し、電流通過回路１６によって電気的に接続されている。
前記ソケット１０，１１には、夫々各挿し込み端子１０ａ，１０ｂ（１１ａ，１１ｂ）に対応した挿し込み端子１７ａ，１７ａ，１８ａ，１８ｂが突出されたプラグ１７，１８が装着可能になっていて、それらプラグ１７，１８には、図６に示すように、３つのコイル１９ａ，１９ａ，１９ａを直列に接続し、フェライトコアを挿入してチョークコイルにすると共に、中央を除いた両側のコイル１９ａ，１９ａに、抵抗１９ｂ，１９ｂが並列に接続された低周波通過回路１９が内蔵され、各挿し込み端子１０ａ，１０ｂ（１１ａ，１１ｂ）と電気的に接続されている。
【００１０】
本体ケース１を閉塞する蓋体８に組み付けられたタッププレート７は、分岐ユニット６に設けられた分岐端子１５に対応した嵌め込みプラグ式の入力端子２０を備え、その入力端子２０から入力した信号を４分配し、分配端子２１ａ，２１ａ・・から分配出力する分配回路２１（図７）を内蔵している。
【００１１】
このように構成された分岐器においては、第１のコネクタ２と第２のコネクタ３とを入出力端子にて指定し、メッセンジャワイヤに取り付けるエアリアルタイプとして利用する場合は、接続端子１０ａ，１０ｂ間に低周波通過回路１９が介装されるよう、プラグ１７を装着し、次にスイッチ１２ｂを第１のコネクタ２と第２のコネクタ３に接続されるよう操作し、分岐ユニット６を、その接続端子１３，１４が、中継端子９ａ，９ｄに接続されるように装着する。
又、接続端子１１ａ，１１ｂ間に低周波通過回路１９が介装されるようプラグ１８を装着し、次にスイッチ１２ｂを第２のコネクタ３と第３のコネクタ４に接続されるよう操作し、分岐ユニット６を、その接続端子１３，１４が、中継端子９ｂ，９ｃに接続されるように装着すれば、第２のコネクタ３と第３のコネクタ４とを入出力端子に指定したペデスタルタイプとして利用可能となり、このようにスイッチ操作することなく、エアリアルタイプとペデスタルタイプとの切り換えをすることができる。
【００１２】
このように本実施例の分岐器は、分岐ユニットを、その接続端子に接続される中継端子が変更されるように差し替えれば、エアリアルタイプとペデスタルタイプとに使い分けできるし、タッププレートを分配数の異なる分配回路が内蔵されたものと交換することで、分配数も変更できる。
そして電流通過機能を確保する場合は、ソケットにプラグを装着するものであるから、スイッチが不要であるからコストダウンを図れ、コンデンサを形成する要因がなくなってトラップが生じないし、一見しただけで、電流通過方向を把握できる。
又、分岐ユニットの取り外し操作に連動して入出力端子間に高周波伝達路が確保可能となっているので、分岐ユニットの交換作業中、出力側に対して高周波信号の伝送が途絶えることがない。
【００１３】
実施例はＣＡＴＶの分岐器について説明したが、ＣＡＴＶの混合器や増幅器、その他の高周波信号伝送回路にも適用され、増幅器の場合は方向性を考慮して、各コネクタは入力と出力とが特定される。
又、複数のソケットを独立して設けるばかりでなく、図８に例示するように、例えば第１、第２、第３の各コネクタと電気的に接続された３つの挿し込み端子２２ａ，２２ａ，２２ａを有したソケット２２を１つ設け、接続端子の数や位置、低周波通過回路のパターンが異なるプラグ２３，２４，２５等と差し替えするようもでき、電流通過を許容しない場合、電流通過回路を有しないダミーのソケットを装着しておくようにしてもかまわない。
【００１４】
尚、本発明は入出力端子間に、電流通過を許容するか否かをプラグの着脱操作によって選択切り換えすることにあり、ソケットやプラグの態様は実施例に限定されず、回路を露出させたり、実施例と相違する回路を採用することができ、入出力のコネクタを変更する機能や、作業中に高周波伝達路を確保する機能を省略しても差し支えない。
【００１５】
【発明の効果】
本発明によれば、ソケットの差し替えによってエアリアルタイプとペデスタルタイプとの使い分けが可能となり、高周波出力信号の使用する高周波帯域域内にトラップを生じさせることがなく、部品も節約できる。
又、電流通過機能の有無をプラグの着脱操作で切り換えするから、切り換え操作が簡単であるし、高電流でも信頼性が高く、視認性にも優れ、誤認することがない。
【図面の簡単な説明】
【図１】  本発明に係る高周波信号処理装置を分配器に実施した一例を示す説明図である。
【図２】  マザーボードの回路を示した説明図である。
【図３】  ａ，ｂは、スイッチ１２ｂの切り換え操作によって変更される回路の説明図である。
【図４】  ａ，ｂは、スイッチ１２ｃ，１２ｄの自動切り換えによって変更される回路の説明図である。
【図５】  分岐回路を例示した説明図である。
【図６】  低周波通過回路の説明図である。
【図７】  分配回路を例示した説明図である。
【図８】  ソケットとプラグの変更例を示す説明図である。
【図９】  従来例の説明図である。
【図１０】  従来例における高周波出力信号のレベルを示した説明図である。
【符号の説明】
１・・ケース本体、２・・第１のコネクタ、３・・第２のコネクタ、４・・第３のコネクタ、５・・マザーボード、６・・分岐ユニット、７・・タッププレート、８・・蓋体、９・・分岐ユニット装着部、９ａ，９ｂ，９ｃ，９ｄ・・中継端子、１０，１１・・ソケット、１０ａ，１０ｂ，１１ａ，１１ｂ・・挿し込み端子、１２・・中継回路、１２ａ・・コンデンサ、１２ｂ・・スイッチ（手動式）、１２ｃ，１２ｄ・・スイッチ（プッシュ式）、１３，１４・・接続端子、１５・・分岐端子、１６・・電流通過回路、１７，１８・・プラグ、１７ａ，１７ａ，１８ａ，１８ｂ・・挿し込み端子、１９・・低周波通過回路、１９ａ・・コイル、１９ｂ・・抵抗、２０・・入力端子、２１・・分配回路、２１ａ・・分配端子、２２・・ソケット、２２ａ・・挿し込み端子、２３，２４，２５・・プラグ、２６・・スイッチ、Ｔ・・トラップ。
【図１】
0003664323.tif 000002
【図２】
0003664323.tif 000003
【図３】
0003664323.tif 000004
【図４】
0003664323.tif 000005
【図５】
0003664323.tif 000006
【図６】
0003664323.tif 000007
【図７】
0003664323.tif 000008
【図８】
0003664323.tif 000009
【図９】
0003664323.tif 000010
【図１０】
0003664323.tif 000011